(57)【要約】【課題】置き忘れられた原稿のうち、搬送に適した原稿を搬送し、搬送に適さない原稿の搬送を防止することにより原稿を損傷する危険性を下げることができる読取装置を提供することを目的とする。【解決手段】読取装置は、開閉自在なフラットベッドカバーにより挟まれた読み取り面上の原稿を読み取る読取装置であって、原稿を読み取る読取手段と、前記読み取り面上の原稿の有無を検知する検知手段と、原稿の種類が搬送可能な種類かを判断する判断手段と、前記検知手段により予め決められた時間経過後、原稿有りと検知された場合であって、前記判断手段により当該原稿の種類が搬送可能な種類でないと判断されたとき当該原稿を搬送せず、搬送可能な種類であると判断されたとき当該原稿を原稿を保管する保管手段まで搬送する搬送手段と、を備える。【選択図】図３
2010239197.tif 000002
【特許請求の範囲】
【請求項１】
開閉自在なフラットベッドカバーにより挟まれた読み取り面上の原稿を読み取る読取装置であって、
原稿を読み取る読取手段と、
前記読み取り面上の原稿の有無を検知する検知手段と、
原稿の種類が搬送可能な種類かを判断する判断手段と、
前記検知手段により、予め決められた時間経過後、原稿有りと検知された場合であって、前記判断手段により当該原稿の種類が搬送可能な種類でないと判断されたとき当該原稿を搬送せず、搬送可能な種類であると判断されたとき当該原稿を原稿を保管する保管手段まで搬送する搬送手段と、
を備えることを特徴とする読取装置。
【請求項２】
前記判断手段は、前記読取手段によって読み取られた原稿の画像を基に、原稿の種類を判断することを特徴とする請求項１に記載の読取装置。
【請求項３】
前記判断手段は、
前記画像にステープルで閉じられた跡を表す短線が存在するかを判定するステープル判定手段を備え、
前記ステープル判定手段により、前記画像に前記短線が存在すると判定されたとき、原稿の種類が搬送可能な種類でないと判断することを特徴とする請求項２に記載の読取装置。
【請求項４】
前記判断手段は、さらに、
前記画像が何も記されていない余白により四方をとりかこまれているかを判定する余白判定手段を備え、
前記余白判定手段により前記画像が前記余白により四方をとりかこまれていると判定されたとき、原稿の種類が搬送可能な種類であると判断することを特徴とする請求項２または請求項３に記載の読取装置。
【請求項５】
前記判断手段は、さらに、
前記画像に帯状の暗部と当該暗部に隣接する明部が存在し、当該暗部の明るさが当該明部に向かって明るく変化しているかを判定する暗部判定手段を備え、
前記暗部判定手段により前記画像に帯状の暗部と当該暗部に隣接する明部が存在し、当該暗部の明るさが当該明部に向かって明るく変化していると判定されたとき、原稿の種類が搬送可能な種類でないと判断することを特徴とする請求項２ないし請求項４のいずれかに記載の読取装置。
【請求項６】
前記判断手段は、
前記画像に帯状の暗部と当該暗部上に並ぶ短形状のパターンが存在するかを判定するパターン判定手段を備え、
前記パターン判定手段により前記画像に帯状の暗部と当該暗部上に並ぶ短形状のパターンが存在すると判定されたとき、原稿の種類が搬送可能な種類でないと判断することを特徴とする請求項２ないし請求項５のいずれかに記載の読取装置。
【請求項７】
前記判断手段は、
前記画像にステープルで閉じられた跡を表す短線が存在するかを判定するステープル判定手段と、
前記画像が何も記されていない余白により四方をとりかこまれているかを判定する余白判定手段と、を備え、
前記ステープル判定手段による判定結果を、余白判定手段の判定結果に優先して判断することを特徴とする請求項２に記載の読取装置。
【発明の詳細な説明】
【技術分野】
【０００１】
本発明は、置き忘れられた原稿を保管手段まで搬送する機構を備えた読取装置に関するものである。
【背景技術】
【０００２】
従来、読み取り面上に原稿を載置し、開閉自在なフラットベッドカバーを閉め、原稿を読み取る読取装置が知られている。
【０００３】
このような読取装置において、ユーザが読み取り面上に原稿を置き忘れる場合がある。
【０００４】
このような事情に鑑み、特許文献１に係る発明は、読取装置本体に原稿搬送手段と保管手段を設け、原稿が置き忘れとみなす条件を満たした場合に、原稿搬送手段が原稿を保管手段まで搬送することで、置き忘れられた原稿の紛失を防いでいる。
【先行技術文献】
【特許文献】
【０００５】
【特許文献１】特開２００６−２６２０９７号公報
【発明の概要】
【発明が解決しようとする課題】
【０００６】
しかし、特許文献１に係る発明は、原稿が置き忘れられた場合、原稿の種類にかかわらず全て搬送する。このため、搬送に適さない原稿までも搬送した場合には、原稿を損傷する危険性がある。
【０００７】
そこで、本発明は、置き忘れられた原稿のうち、搬送可能な種類である原稿を搬送し、搬送可能な種類でない原稿の搬送を防止することにより、原稿を損傷する危険性を下げることを目的とする。
【課題を解決するための手段】
【０００８】
かかる目的を達成するためになされた発明の読取装置は、開閉自在なフラットベッドカバーにより挟まれた読み取り面上の原稿を読み取る読取装置であって、原稿を読み取る読取手段と、読み取り面上の原稿の有無を検知する検知手段と、原稿の種類が搬送可能な種類かを判断する判断手段と、検知手段により、予め決められた時間経過後、原稿有りと検知された場合であって、判断手段により当該原稿の種類が搬送可能な種類でないと判断されたとき当該原稿を搬送せず、搬送可能な種類であると判断されたとき当該原稿を原稿を保管する保管手段まで搬送する搬送手段と、を備えることを特徴とする。
【０００９】
この読取装置は、検知手段により、予め決められた時間経過後、読み取り面上に原稿有りと検知され、かつ、判断手段により原稿の種類が搬送可能な種類でないと判断された場合には原稿を搬送せず、判断手段により原稿の種類が搬送可能な種類であると判断された場合には原稿を保管手段まで搬送する。これにより、搬送可能な種類でないと判断された原稿の搬送が防止されるため、原稿を損傷する危険性を下げることができる。
【００１０】
上記の読取装置において、判断手段は、読取手段によって読み取られた原稿の画像を基に、原稿の種類を判断するとよい。
【００１１】
これにより、原稿の種類が搬送可能な種類かの判断が、読み取られた原稿の画像に基づいて判断されるため、原稿の種類が搬送可能な種類かの判断につき、新たな機構を設けることなく、既存の設備で判断処理をすることができる。
【００１２】
上記の読取装置において、判断手段は、画像にステープルで閉じられた跡を表す短線が存在するかを判定するステープル判定手段を備え、ステープル判定手段により、画像に短線が存在すると判定されたとき、原稿の種類が搬送可能な種類でないと判断するとよい。
【００１３】
これにより、ステープル判定手段により、読み取られた画像に短線が存在すると判定された原稿の搬送が防止されるため、当該原稿を損傷する危険性を下げることができる。例えば、ステープルで閉じられた原稿を読み取った場合、ステープル判定手段により、読み取られた画像に短線が存在すると判定され、原稿の搬送が防止される。よって、ステープルで閉じられた部分で原稿を損傷する危険性を下げることができる。
【００１４】
上記の読取装置において、判断手段は、画像が何も記されていない余白により四方をとりかこまれているかを判定する余白判定手段を備え、余白判定手段により画像が余白により四方をとりかこまれていると判定されたとき、原稿の種類が搬送可能な種類であると判断するとよい。
【００１５】
これにより、余白判定手段により、読み取られた画像が余白により四方をとりかこまれていると判定された場合、原稿の種類が搬送可能な種類であると判断されるため、搬送可能な種類である当該原稿を回収することができる。例えば、コピー後の原稿を読み取った場合、余白判定手段により、読み取られた画像が余白により四方をとりかこまれていると判定される。このような場合、搬送により原稿を損傷する可能性が低く、原稿の種類が搬送可能な種類であると判断されるため、コピー後の原稿を回収することができる。
【００１６】
上記の読取装置において、判断手段は、画像に帯状の暗部と当該暗部に隣接する明部が存在し、当該暗部の明るさが当該明部に向かって明るく変化しているかを判定する暗部判定手段を備え、暗部判定手段により画像に帯状の暗部と当該暗部に隣接する明部が存在し、当該暗部の明るさが当該明部に向かって明るく変化していると判定されたとき、原稿の種類が搬送可能な種類でないと判断するとよい。
【００１７】
これにより、暗部判定手段により、読み取られた画像に帯状の暗部と当該暗部に隣接する明部が存在し、当該暗部の明るさが当該明部に向かって明るく変化していると判定された原稿の搬送が防止されるため、当該原稿を損傷する危険性を下げることができる。例えば、本を読み取った場合、このような画像が形成される。本は搬送に適さない。このとき、本の搬送が防止されるため、本を損傷する危険性を下げることができる。
【００１８】
上記の読取装置において、判断手段は、画像に帯状の暗部と当該暗部上に並ぶ短形状のパターンが存在するかを判定するパターン判定手段を備え、パターン判定手段により画像に帯状の暗部と当該暗部上に並ぶ短形状のパターンが存在すると判定されたとき、原稿の種類が搬送可能な種類でないと判断するとよい。
【００１９】
これにより、パターン判定手段により、読み取られた画像に帯状の暗部と当該暗部上に並ぶ短形状のパターンが存在すると判定された原稿の搬送が防止されるため、当該原稿を損傷する危険性を下げることができる。例えば、バインダで閉じられた原稿を読み取った場合、このような画像が形成される。バインダで閉じられた原稿は搬送に適さない。このとき、バインダで閉じられた原稿の搬送が防止されるため、バインダで閉じられた原稿を損傷する危険性を下げることができる。
【００２０】
上記の読取装置において、判断手段は、画像にステープルで閉じられた跡を表す短線が存在するかを判定するステープル判定手段と、画像が何も記されていない余白により四方をとりかこまれているかを判定する余白判定手段と、を備え、ステープル判定手段による判定結果を、余白判定手段の判定結果に優先して判断するとよい。
【００２１】
これにより、ステープル判定手段により、読み取られた画像にステープルで閉じられた跡を表す短線が存在するかを判定され、かつ、余白判定手段により、読み取られた画像が余白により四方をとりかこまれていると判定された場合、原稿の種類が搬送可能な種類であるかがより確実に判断されるため、当該原稿を損傷する危険性を下げることができる。
【発明の効果】
【００２２】
本発明は、置き忘れられた原稿のうち、搬送可能な種類である原稿を搬送し、搬送可能な種類でない原稿の搬送を防止することにより、原稿を損傷する危険性を下げることができる。
【図面の簡単な説明】
【００２３】
【図１】本実施形態に係る読取装置１の概要説明図である。
【図２】本実施形態に係る読取装置１の構成を示すブロック図である。
【図３】本実施形態に係る読取装置１のスキャナメイン処理を示すフローチャートである。
【図４】本実施形態に係る読取装置１の回収判定を示すフローチャートである。
【図５】初期化された判定テーブルを示す図である。
【図６】本実施形態に係る読取装置１のＢＯＯＫ１判定を示すフローチャートである。
【図７】本実施形態に係る読取装置１のＢＯＯＫ２判定を示すフローチャートである。
【図８】本実施形態に係る読取装置１のステープル判定を示すフローチャートである。
【図９】本実施形態に係る読取装置１のパターン判定を示すフローチャートである。
【図１０】本実施形態に係る読取装置１の余白判定を示すフローチャートである。
【図１１】読み取られた原稿の画像の例を示す図である。
【図１２】読み取られた原稿の画像の例を示す図である。
【発明を実施するための形態】
【００２４】
以下、実施形態を図面に基づき説明する。図１〜図１２は読取装置１の実施形態を示す図である。
【００２５】
（本実施形態の概要）
まず、本実施形態の概要について図１に基づき説明する。図１は、本実施形態に係る読取装置１の概要説明図である。読取装置１は、本体１２および回収ボックス２１から構成される。
【００２６】
コンタクトガラス１１上に載置されフラットベッドカバー１３によって挟まれた原稿１５を読取ユニット１７が読み取る。読取が終了すると、一定時間経過後、読み取られた原稿１５がコンタクトガラス１１上に載置されているかが検知され、載置されていると検知された場合、原稿が置き忘れと判断される。次に、置き忘れと判断された原稿の種類から、原稿が搬送可能か判断される。原稿の種類は、読取ユニット１７により読み取られた原稿の画像により判断される。原稿が搬送可能な種類と判断された場合、置き忘れと判断された原稿は、搬送ベルト１９により、回収ボックス２１まで搬送される。原稿が搬送可能な種類でないと判断された場合、置き忘れと判断された原稿は搬送されない。回収ボックス２１は、回収ボックス鍵２３を装着した回収ボックス蓋２５および回収ボックス用紙ガイド２７を備える。回収ボックス鍵２３は、回収された原稿を特定の人物のみ取り出し可能にするためのものである。
【００２７】
また、読取装置１は、給紙部２９にセットされた原稿を自動原稿送り装置３１により自動で送り読み取ることも可能であり、この場合、原稿センサ３３が原稿の有無を検知する。すなわち、読取装置１は、一般的な画像読取装置に周知のＡＤＦ装置を備え、複数枚の原稿を自動で連続して読み取ることができる。なお、本実施形態は、コンタクトガラス１１上に載置されフラットベッドカバー１３によって挟まれた原稿を読取ユニット１７により読み取る場合に対応する。
【００２８】
また、本実施形態では、搬送により原稿を損傷する場合として、特にフラットベッドカバー１３によって挟まれた原稿を搬送ベルト１９により搬送する場合を想定している。この場合、例えば複数枚積層され、所定箇所で一つに閉じられた原稿が搬送された場合、複数枚の原稿の一枚のみが搬送され、一つに閉じられた箇所で原稿が破れる危険性がある。
【００２９】
（読取装置の構成）
次に、読取装置１の構成について図２に基づき説明する。図２は、本実施形態に係る読取装置１の構成を示すブロック図である。
【００３０】
読取装置１の本体１２は、Ｉ／Ｆ３５と、ＣＰＵ３７と、操作部３９と、表示部４１と、原稿読取部４３と、ＲＯＭ４５と、ＲＡＭ４７と、タイマー装置４９とを備えている。
【００３１】
読取装置１は、Ｉ／Ｆ３５を介してコンピュータや周辺機器と通信を行う。ＣＰＵ３７は、読取装置１のすべての構成要素を統括制御する。操作部３９は、読取装置１を制御するためにユーザによって操作される操作スイッチ（図示しない）からの信号を入力するための装置である。表示部４１は、ＣＰＵ３７からの指令に基づいて読取装置１の状態等を表示するための装置である。原稿読取部４３は、読取ユニット１７等から構成され、原稿を読み取るための装置である。ＲＯＭ４５は、読取装置１が各種処理を行うためにＣＰＵ３７によって実行されるプログラムや、読取装置１のデバイス情報を予め記憶している。ＲＡＭ４７は、ＣＰＵ３７が各種処理を行った際に生成されるデータを記憶する記憶領域として用いられ、また、ＣＰＵ３７が各種処理を行う際に記憶領域として用いられる。ＲＡＭ４７に記憶されるデータは、例えば、読み取られた原稿の画像データやタイマー装置４９が計測する時間等である。タイマー装置４９は、設定された時間を計測する。
【００３２】
（スキャナメイン処理）
次に、読取装置１のスキャナメイン処理について図３に基づき説明する。図３は、本実施形態に係る読取装置１のスキャナメイン処理を示すフローチャートである。
【００３３】
まず、スキャンコマンドが有るかが判断される（Ｓ１１０）。スキャンコマンドがないと判断された場合（Ｓ１１０：Ｎｏ）、Ｓ１１０の処理に戻り、スキャンコマンドが有ると判断されるまでＳ１１０の処理を繰り返す。スキャンコマンドが有ると判断された場合（Ｓ１１０：Ｙｅｓ）、Ｓ１１５の処理に移行する。
【００３４】
Ｓ１１５の処理では、原稿センサ３３が給紙部２９に原稿があるかを判断する（Ｓ１１５）。給紙部２９に原稿があると判断された場合（Ｓ１１５：Ｙｅｓ）、自動原稿送り装置３１が給紙部２９にセットされた原稿を送り、読取ユニット１７が所定位置で原稿を読み取る（Ｓ１２０）。読取ユニット１７が原稿を読み取ると、次に、原稿センサ３３が給紙部２９に原稿があるかを判断する（Ｓ１２５）。給紙部２９に原稿があると判断された場合（Ｓ１２５：Ｙｅｓ）、Ｓ１２０の処理に戻り、再び、読取ユニット１７が所定位置で原稿を読み取る（Ｓ１２０）。そして、Ｓ１２５の処理に移行し、原稿センサ３３が給紙部２９に原稿がないと判断するまで（Ｓ１２５：Ｎｏ）、Ｓ１２０およびＳ１２５の処理を繰り返す。給紙部２９に原稿がないと判断された場合（Ｓ１２５：Ｎｏ）、すなわち、給紙部２９にセットされた原稿全ての読み取りが完了した場合、Ｓ１１０の処理に戻る。
【００３５】
一方、Ｓ１１５の処理で、給紙部２９に原稿がないと判断された場合（Ｓ１１５：Ｎｏ）、スキャンコマンドは、コンタクトガラス１１上の原稿のスキャンであると判断され、読取ユニット１７が原稿を走査しながら読み取る（Ｓ１３０）。Ｓ１３０の処理により読み取られた原稿の画像は、ＲＡＭ４７に記憶される。
【００３６】
読取ユニット１７が原稿を読み取ると、タイマー装置４９がタイマーをスタートし設定されている時間の計測を開始する（Ｓ１３５）。タイマー装置４９がタイマスタートすると、読取ユニット１７が原稿の読み取り走査を開始した位置まで移動する（Ｓ１４０）。すなわち、Ｓ１３０の処理において読取ユニット１７が読み取り走査を開始した位置まで移動する。なお、Ｓ１３０の処理において読取ユニット１７が読み取り走査を開始した位置は、ＲＡＭ４７に記憶されている。読取ユニット１７が原稿の読み取り走査を開始した位置まで移動すると、読取ユニット１７が読み取り走査をする（Ｓ１４５）。すなわち、読み取りユニット１７が再度読み取り走査をする。
【００３７】
読取ユニット１７が読み取り走査をすると、コンタクトガラス１１上に置き忘れの原稿が有るかが判断される（Ｓ１５０）。置き忘れの原稿が有るかの判断は、Ｓ１４５の処理における読み取り走査において読み取った画像が、Ｓ１３０の処理において読み取った画像と一致するかにより判断される。すなわち、Ｓ１４５の処理において読み取った画像が、Ｓ１３０の処理において読み取った画像である場合には、コンタクトガラス１１上に原稿があると判断される。また、Ｓ１４５の処理において読み取った画像内にＳ１３０の処理において読み取られた原稿の文字・図形等の内容が存在しない場合には、コンタクトガラス１１上に原稿がないと判断される。なお、Ｓ１４５の処理において読み取った画像が、Ｓ１３０の処理において読み取った画像に完全に一致する必要はなく、ほぼ一致すれば一致すると判断される。
【００３８】
コンタクトガラス１１上に置き忘れの原稿が有ると判断された場合（Ｓ１５０：Ｙｅｓ）、タイマー装置４９の計測した時間が３分経過したか判断される（Ｓ１５５）。３分経過していないと判断された場合（Ｓ１５５：Ｎｏ）、Ｓ１４５の処理に戻り、３分経過したと判断されるまでＳ１４５、Ｓ１５０、Ｓ１５５の処理を繰り返す。３分経過したと判断された場合（Ｓ１５５：Ｙｅｓ）、Ｓ１６０の処理に移行する。一方、Ｓ１５０の処理でコンタクトガラス上に置き忘れの原稿がないと判断された場合（Ｓ１５０：Ｎｏ）、Ｓ１１０の処理に戻る。
【００３９】
このＳ１３５〜Ｓ１５５の処理により、読み取られた原稿が置き忘れか判断される。すなわち、Ｓ１５５の処理で３分経過したと判断された場合、読み取られた原稿が３分間コンタクトガラス１１上に載置され続けた状態を示し、この場合には原稿が置き忘れと判断される。また、Ｓ１５５の処理で３分経過していないと判断された場合、再びＳ１４５およびＳ１５０の処理に戻り原稿の有無が判断される。したがって、原稿を読み取り後、ユーザが原稿をコンタクトガラス１１上から取り除くと（Ｓ１５０；Ｎ０）、原稿が置き忘れでないと判断される。また、原稿が置き忘れか否かの判断は、読取ユニット１７が原稿の読み取り走査を開始した位置まで移動し（Ｓ１４０）、読み取り走査をし（Ｓ１４５）、読み取った画像が、Ｓ１３０の処理において読み取った画像と一致するかにより置き忘れの原稿の有無を判断する（Ｓ１５０）。これにより、新たな機構を設けることなく、既存の設備で判断処理をすることができる。
【００４０】
Ｓ１５５に処理において３分経過したと判断され、Ｓ１６０の処理に移行すると、置き忘れと判断された原稿の回収判定がなされる（Ｓ１６０）。回収判定については後述する。回収判定を終了すると、回収判定結果が回収であるか判断される（Ｓ１６５）。回収判定結果が回収であると判断された場合（Ｓ１６５：Ｙｅｓ）、搬送ベルト１９が駆動され原稿が回収ボックス２１まで搬送され（Ｓ１７０）、Ｓ１１０の処理に戻る。回収判定結果が回収でないと判断された場合（Ｓ１６５：Ｎｏ）、Ｓ１１０の処理に戻る。これにより、搬送可能な種類でないと判断された原稿の搬送が防止されるため、原稿を損傷する危険性を下げることができる。
【００４１】
（回収判定）
次に、回収判定について図４、図５、図１１および図１２に基づき説明する。図４は、本実施形態に係る読取装置１の回収判定を示すフローチャートである。図５は、初期化された判定テーブルを示す図である。図１１および図１２は、読み取られた原稿の画像の例を示す図である。回収判定は、置き忘れと判断された原稿がＳ１３０の処理によって読み取られた画像に基づいて判定される。
【００４２】
まず、判定テーブルが全て０にクリアされる（Ｓ２１０）。Ｓ２１０の処理では、図５に示すように、判定テーブルの全ての欄が０にクリアされる。
【００４３】
判定テーブルが全て０にクリアされると、ＢＯＯＫ１判定に移行する（Ｓ２１５）。ＢＯＯＫ１判定では、読み取られた画像がＢＯＯＫ１画像であるかが判定される。ＢＯＯＫ１画像とは、例えば図１１（ａ）に示すように、本を見開き２ページで読み取った画像である。ＢＯＯＫ１判定については後述する。ＢＯＯＫ１判定を終了すると、ＢＯＯＫ２判定に移行する（Ｓ２２０）。ＢＯＯＫ２判定では、読み取られた画像がＢＯＯＫ２画像であるかが判定される。ＢＯＯＫ２画像とは、例えば図１１（ｂ）に示すように、本を片面１ページのみ読み取った画像である。ＢＯＯＫ２判定については後述する。ＢＯＯＫ２判定を終了すると、ステープル判定に移行する（Ｓ２２５）。ステープル判定では、読み取られた画像がステープル画像であるかが判定される。ステープル画像とは、例えば図１２（ａ）に示すように、ステープルで閉じられた原稿を読み取った画像である。ステープル判定については後述する。ステープル判定を終了すると、パターン判定に移行する（Ｓ２３０）。パターン判定では、読み取られた画像がパターン画像であるかが判定される。パターン画像とは、例えば図１２（ｂ）に示すように、バインダで閉じられた原稿を読み取った画像である。パターン判定については後述する。パターン判定を終了すると、余白判定に移行する。余白判定では、読み取られた画像が余白画像であるかが判定される。余白画像とは、画像の四方を余白により取り囲まれた画像であり、コピー処理を経た可能性のある原稿である。例えば図１２（ｃ）に示す画像は、本をコピーした原稿を読み取った画像であり、余白画像である。余白判定については後述する。
【００４４】
余白判定を終了すると、判定テーブルのステープル欄が１であるかが判断される（Ｓ２４０）。判定テーブルのステープル欄は、Ｓ２２５の処理のステープル判定により、初期化時の０から更新される。ステープル欄が１であると判断された場合（Ｓ２４０：Ｙｅｓ）、回収判定結果が非回収となり回収判定を終了する。すなわち、ステープル欄が１である場合とは、読み取られた画像がステープル画像である場合であり、原稿がステープルで閉じられている場合である。この場合には、回収判定結果は非回収となる。これにより、ステープルで閉じられた原稿の搬送を防ぎ、原稿を損傷する危険性を下げることができる。また、回収判定結果は、判定テーブルの余白欄の更新結果にかかわらず、非回収となる。すなわち、判定テーブルのステープル欄が、余白欄に優先して判定される。これにより、例えば、本をコピーした原稿をステープルで閉じている原稿のように、読み取られた画像がステープル画像であり、かつ余白画像である場合に、ステープルで閉じられた原稿がより確実に判定され、原稿の搬送が防止されるため、原稿を損傷する危険性を下げることができる。
【００４５】
一方、ステープル欄が１でないと判断された場合（Ｓ２４０：Ｎｏ）、判定テーブルの余白欄が１であるかが判断される（Ｓ２４５）。判定テーブルの余白欄は、Ｓ２３５の処理の余白判定により、初期化時の０から更新される。余白欄が１であると判断された場合（Ｓ２４５：Ｙｅｓ）、回収判定結果が回収となり回収判定を終了する。すなわち、余白欄が１である場合とは、読み取られた画像が余白画像である場合であり、原稿がコピー処理を経た可能性のある原稿である場合を指す。この場合、回収判定結果が回収となり、コピー処理を経た可能性のある原稿を回収することができる。また、回収判定結果は、判定テーブルのＢＯＯＫ１欄、ＢＯＯＫ２欄、パターン欄の更新結果にかかわらず、回収となる。すなわち、判定テーブルの余白欄が、ＢＯＯＫ１欄、ＢＯＯＫ２欄、パターン欄に優先して判定される。これにより、例えば本をコピーした原稿を回収することができ、搬送により原稿を損傷させる危険性がない場合にまで、原稿が非回収と判定され回収されないといったことを防ぐことができる。
【００４６】
一方、余白欄が１でないと判断された場合（Ｓ２４５：Ｎｏ）、判定テーブルのＢＯＯＫ１欄、ＢＯＯＫ２欄、パターン欄のいずれかが１であるか判断される（Ｓ２５０）。判定テーブルのＢＯＯＫ１欄はＳ２１５の処理のＢＯＯＫ１判定により、ＢＯＯＫ２欄はＳ２２０の処理のＢＯＯＫ２判定により、パターン欄はＳ２３０の処理のパターン判定により、それぞれ初期化時の０から更新される。ＢＯＯＫ１欄、ＢＯＯＫ２欄、パターン欄のいずれかが１であると判断された場合（Ｓ２５０：Ｙｅｓ）、回収判定結果が非回収となり回収判定を終了する。すなわち、ＢＯＯＫ１欄、ＢＯＯＫ２欄、パターン欄のいずれかが１である場合とは、読み取られた画像がＢＯＯＫ１画像またはＢＯＯＫ２画像またはパターン画像である場合であり、原稿が本またはバインダで閉じられた原稿である場合である。この場合には、回収判定結果は非回収となる。これにより、本またはバインダで閉じられた原稿の搬送を防ぎ、原稿を損傷する危険性を下げることができる。ＢＯＯＫ１欄、ＢＯＯＫ２欄、パターン欄のいずれも１でないと判断された場合（Ｓ２５０：Ｎｏ）、回収判定結果が回収となり回収判定を終了する。Ｓ２５０の処理によりＢＯＯＫ１欄、ＢＯＯＫ２欄、パターン欄のいずれも１でないと判断された場合とは、例えば原稿が写真である場合が該当する。
【００４７】
（ＢＯＯＫ１判定）
次に、ＢＯＯＫ１判定について図６および図１１（ａ）に基づき説明する。図６は、本実施形態に係る読取装置１のＢＯＯＫ１判定を示すフローチャートである。ＢＯＯＫ１判定では、Ｓ１３０の処理によって読み取られた原稿の画像が、ＢＯＯＫ１画像であるかが判定される。
【００４８】
まず、読み取られた画像の中央付近に帯状の暗部があるかが判断される（Ｓ３１０）。帯状の暗部とは、本等、厚みのある原稿を読み取る場合に、原稿をコンタクトガラス１１上に密着させることができないために読取ユニット１７からの光を反射せず、読み取られた画像内に形成される黒帯を指す。図１１（ａ）に例示したＢＯＯＫ１画像に帯状の暗部５１ａを示す。帯状の暗部があると判断された場合（Ｓ３１０：Ｙｅｓ）、Ｓ３１５に移行する。帯状の暗部がないと判断された場合（Ｓ３１０：Ｎｏ）、読み取られた画像はＢＯＯＫ１画像でないと判定され、ＢＯＯＫ１判定を終了する。
【００４９】
Ｓ３１５の処理に移行すると、帯状の暗部の明るさが、帯の外側に向かって徐々に明るくなっているかが判断される（Ｓ３１５）。帯の外側とは、帯の左右に隣接し、原稿が正確に読み取られた部分を指す。すなわち、コンタクトガラス１１上に原稿を密着でき、原稿が正確に読み取られた部分である。図１１（ａ）に例示したＢＯＯＫ１画像に帯の外側５３ａを示す。帯状の暗部の明るさが、帯の外側に向かって徐々に明るくなっていると判断された場合（Ｓ３１５：Ｙｅｓ）、判定テーブルのＢＯＯＫ１欄に１が書き込まれる（Ｓ３２０）。すなわち、読み取られた画像がＢＯＯＫ１画像であると判定され、判定テーブルのＢＯＯＫ１欄が、初期化時の０から１に更新される。帯状の暗部の明るさが、帯の外側に向かって徐々に明るくなっていないと判断された場合（Ｓ３１５：Ｎｏ）、読み取られた画像はＢＯＯＫ１画像でないと判定され、ＢＯＯＫ１判定を終了する。
【００５０】
（ＢＯＯＫ２判定）
次に、ＢＯＯＫ２判定について図７および図１１（ｂ）に基づき説明する。図７は、本実施形態に係る読取装置１のＢＯＯＫ２判定を示すフローチャートである。ＢＯＯＫ２判定では、Ｓ１３０の処理によって読み取られた原稿の画像が、ＢＯＯＫ２画像であるかが判定される。
【００５１】
まず、読み取られた画像の隅に帯状の暗部があるかが判断される。図１１（ｂ）に例示したＢＯＯＫ２画像に帯状の暗部５１ｂを示す。帯状の暗部があると判断された場合（Ｓ４１０：Ｙｅｓ）、Ｓ４１５に移行する。帯状の暗部がないと判断された場合（Ｓ４１０：Ｎｏ）、読み取られた画像はＢＯＯＫ２画像でないと判定され、ＢＯＯＫ２判定を終了する。
【００５２】
Ｓ４１５の処理に移行すると、帯状の暗部の明るさが、帯の外側に向かって徐々に明るくなっているかが判断される（Ｓ４１５）。図１１（ｂ）に例示したＢＯＯＫ２画像に帯の外側５３ｂを示す。帯状の暗部の明るさが、帯の外側に向かって徐々に明るくなっていると判断された場合（Ｓ４１５：Ｙｅｓ）、判定テーブルのＢＯＯＫ２欄に１が書き込まれる（Ｓ４２０）。すなわち、読み取られた画像がＢＯＯＫ２画像であると判定され、判定テーブルのＢＯＯＫ２欄が、初期化時の０から１に更新される。帯状の暗部の明るさが、帯の内側に向かって徐々に明るくなっていないと判断された場合（Ｓ４１５：Ｎｏ）、読み取られた画像はＢＯＯＫ２画像でないと判定され、ＢＯＯＫ２判定を終了する。
【００５３】
（ステープル判定）
次に、ステープル判定について図８および図１２（ａ）に基づき説明する。図８は、本実施形態に係る読取装置１のステープル判定を示すフローチャートである。ステープル判定では、読み取られた画像がステープル画像であるかが判定される。ステープル判定では、Ｓ１３０の処理によって読み取られた原稿の画像が、ステープル画像であるかが判定される。
【００５４】
まず、読み取られた画像にステープルで閉じられた跡を表す短線が存在するかが判断される（Ｓ５１０）。図１２（ａ）に例示したステープル画像にステープルで閉じられた跡を表す短線５５を示す。この判断は、ステープルの長さ、太さなどの規格で定められている情報を記憶しているデータベースに基づき、画像内に存在する短線がデータベースに記憶された情報と一致するか、また、一致した場合には、短線の位置が画像の四隅など、原稿がステープルで閉じられる位置として可能性のある位置にあるかを判断する。ステープルの長さ、太さがステープルの情報を記憶するデータベースおよびステープルで閉じられる位置として可能性のある位置情報は、読取装置１の図示しない不揮発性ＲＡＭに記憶される。例えば、画像内に存在する短線の長さおよび太さが、データベースに記憶される情報と一致し、かつ、その短線の位置が、不揮発性ＲＡＭに記憶される位置情報と一致する場合、読み取られた画像にステープルで閉じられた跡を表す短線が存在すると判断される（Ｓ５１０：Ｙｅｓ）。ステープルで閉じられた跡を表す短線が存在すると判断された場合（Ｓ５１０：Ｙｅｓ）、判定テーブルのステープル欄に１が書き込まれる（Ｓ５１５）。すなわち、読み取られた画像がステープル画像であると判定され、判定テーブルのステープル欄が、初期化時の０から１に更新される。ステープルで閉じられた跡を表す短線が存在しないと判断された場合（Ｓ５１０：Ｎｏ）、読み取られた画像はステープル画像でないと判定され、ステープル判定を終了する。
【００５５】
（パターン判定）
次に、パターン判定について図９および図１２（ｂ）に基づき説明する。図９は、本実施形態に係る読取装置１のパターン判定を示すフローチャートである。パターン判定では、Ｓ１３０の処理によって読み取られた原稿の画像が、パターン画像であるかが判定される。
【００５６】
まず、読み取られた画像に帯状の暗部上にそって並ぶ短形状のパターンが存在するかが判断される（Ｓ６１０）。図１２（ｂ）に例示したパターン画像に短形状のパターン５７を示す。帯状の暗部上にそって並ぶ短形状のパターンが存在すると判断された場合（Ｓ６１０：Ｙｅｓ）、判定テーブルのパターン欄に１が書き込まれる（Ｓ６１５）。すなわち、読み取られた画像がパターン画像であると判定され、判定テーブルのパターン欄が、初期化時の０から１に更新される。短形状のパターンが存在しないと判断された場合（Ｓ６１０：Ｎｏ）、読み取られた画像はパターン画像でないと判定され、パターン判定を終了する。
【００５７】
（余白判定）
次に、余白判定について図１０および図１２（ｃ）に基づき説明する。図１０は、本実施形態に係る読取装置１の余白判定を示すフローチャートである。余白判定では、Ｓ１３０の処理によって読み取られた原稿の画像が、余白画像であるかが判定される。
【００５８】
まず、読み取られた画像が余白により四方を取り囲まれているかが判断される（Ｓ７１０）。図１２（ｃ）に例示した余白画像に余白５９を示す。余白により四方を取り囲まれていると判断された場合（Ｓ７１０：Ｙｅｓ）、判定テーブルの余白欄に１が書き込まれる（Ｓ７１５）。すなわち、読み取られた画像が余白画像であると判定され、判定テーブルの余白欄が、初期化時の０から１に更新される。余白により四方を取り囲まれていないと判断された場合（Ｓ７１０：Ｎｏ）、読み取られた画像は余白画像でないと判定され、余白判定を終了する。
【００５９】
なお、本発明の実施形態について説明したが、本発明は、上記実施形態に限定されるものではなく、本発明の要旨を逸脱しない範囲内にて、種々の態様を採ることができる
例えば、本実施形態では、読取装置１を例に説明したが、これに限らず、印刷処理機能を備える画像形成装置であってもよい。
【００６０】
また、本実施形態では、置き忘れの原稿が有るかの判断は、読取ユニット１７が原稿の読み取り走査を開始した位置まで移動し、読み取り走査をし、読み取った画像が、Ｓ１３０の処理において読み取った画像と一致するかにより原稿の有無を判断しているが、これに限らず、フラットベッドカバー１３がユーザにより開けられたかをセンサにより検知させてもよい。
【００６１】
また、本実施形態では、読み取られた原稿がコンタクトガラス１１上に載置され続けタイマー装置４９が計測した時間が３分を経過した場合に原稿が置き忘れと判断しているが、これに限らず、例えば、原稿が置き忘れと判断される時間をユーザが自由に設定できるようにしてもよい。
【００６２】
また、本実施形態では、回収判定において、ＢＯＯＫ１判定、ＢＯＯＫ２判定、ステープル判定、パターン判定、余白判定の順に判定しているが、これに限らず、判定の順はどのように行ってもよい。
【００６３】
また、本実施形態では、読取装置１は回収ボックス２１を備えるが、例えば、回収ボックスを取り付け可能とし、読取装置１自体が回収ボックスを備えなくてもよい。
【符号の説明】
【００６４】
１    読取装置
１１    コンタクトガラス（読み取り面）
１３    フラットベッドカバー
１５    原稿
１７    読取ユニット（読取手段）
１９    搬送ベルト（搬送手段）
２１    回収ボックス（保管手段）
３７    ＣＰＵ（検知手段、判断手段、ステープル判定手段、余白判定手段、暗部判定手段、パターン判定手段）
４３    原稿読取部（読取手段）
４５    ＲＯＭ
４７    ＲＡＭ
４９    タイマー装置
【図１】
2010239197.tif 000003
【図２】
2010239197.tif 000004
【図３】
2010239197.tif 000005
【図４】
2010239197.tif 000006
【図５】
2010239197.tif 000007
【図６】
2010239197.tif 000008
【図７】
2010239197.tif 000009
【図８】
2010239197.tif 000010
【図９】
2010239197.tif 000011
【図１０】
2010239197.tif 000012
【図１１】
2010239197.tif 000013
【図１２】
2010239197.tif 000014